(57)【要約】光ファイバの管理用のシステム（１０）。システムは裏面および正面を含む筐体（１４）を備える。筐体に取り付けた複数の引き出し（１２）がある。引き出しは正面および裏面を備え、第１位置と第２位置との間を移動可能であるように取付けられる。引き出しが第１位置にある場合、筐体は引き出しの裏面へのアクセスを実質上阻止する。引き出しが第２位置にある場合、引き出しの裏面へアクセスできる。システムはまた、引き出しの各々のそれぞれに取付けた光ファイバコネクタ（３４）のアレイと、引き出しの各々のそれぞれに取付けた光ファイバ接続カセット（４６）のアレイと、を含む。
2006502445.tif 000002
【特許請求の範囲】
【請求項１】
光ファイバの管理用のシステムであって、
裏面および正面を含む筐体と、
前記筐体に取り付けた複数の引き出しであって、正面および裏面を備え、第１位置と第２位置との間を移動可能であるように取付けられ、前記第１位置にある場合、前記筐体は前記引き出しの前記裏面へのアクセスを実質上阻止し、前記第２位置にある場合、前記引き出しの前記裏面へアクセスできる引き出しと、
前記引き出しの各々のそれぞれに取付けた光ファイバコネクタのアレイと、
前記引き出しの各々のそれぞれに取付けた光ファイバ接続カセットのアレイと、を備えるシステム。
【請求項２】
前記光コネクタに接続された複数の光ファイバであって、前記光ファイバ接続カセットまで延在することを可能にするに充分な長さおよび配列の複数の光ファイバをさらに備える、請求項１に記載のシステム。
【請求項３】
前記引き出しが前記第１位置または第２位置のどちらにあっても、前記光ファイバ接続カセットが、閉位置と前記引き出しから延在する開位置との間を移動可能である、請求項１に記載のシステム。
【請求項４】
各引き出しが、入ってくる光ファイバを前記引き出しの裏面から前記光ファイバ接続カセットへ案内するように構成された第１ガイドをさらに備える、請求項１に記載のシステム。
【請求項５】
各引き出しが、光ファイバを前記コネクタから前記カセットへ案内するように構成された第２ガイドをさらに備える、請求項４に記載のシステム。
【請求項６】
前記引き出しが前記第１位置と第２位置との間を個別に動くように構成される、請求項１に記載のシステム。
【請求項７】
複数のレールをさらに備え、その上を前記引き出しが前記第１位置と第２位置との間で動く、請求項１に記載のシステム。
【請求項８】
前記引き出しの各々が前記第１位置と第２位置との間で回転するように、前記引き出しの各々は前記筐体に枢着される、請求項１に記載のシステム。
【請求項９】
前記引き出しが前記第１位置と第２位置との間を９０度以下の角度で回転する、請求項８に記載のシステム。
【請求項１０】
前記カセットの各々が前記開位置と閉位置との間で回転する、請求項３に記載のシステム。
【請求項１１】
前記カセットが前記開位置と閉位置との間を９０度以下の角度で回転する、請求項１０に記載のシステム。
【請求項１２】
前記カセットが同時に、また直線的に前記引き出しから離れるように回転する、請求項１０に記載のシステム。
【請求項１３】
前記筐体から前記カセットのそれぞれに延在する複数のガイドをさらに備える、請求項１に記載のシステム。
【発明の詳細な説明】
【技術分野】
【０００１】
本発明は、光ファイバ通信ネットワークで使用される光ファイバの管理または組成を可能にするシステムに関する。それは、より詳細には、ファイバ接続部を含むカセットのアレイを含む光ファイバの管理を可能にする引き出しのシステムに関する。
【背景技術】
【０００２】
光ファイバの使用が通信分野でますます大勢を占めるようになった。これは、つなぎ合わせる、接続する、そして配分するような管理を行う必要がある、ますます多くの光ファイバをもたらし、従って光ファイバの管理または組成用のシステムを使用する範囲が広がっている。ファイバの最適な組成、従って変更および変化を統制の下で行う能力を有することが望ましい。望ましくない障害を回避するように、全ての他の光ファイバに実質的に触れないままである一方で、可能なら、変化または変更しなければならないそれらの光ファイバだけを動かすように、これらの変化を実行することがぜひとも好ましい。
【０００３】
これらのカセットのアレイは、モジュール式光配分フレームまたはラック、例えば４８．３ｃｍ（１９インチ）のラックに何らかの方法で取り付けなければならない。このために、それらは、扉のような、ある種の開口機構を備える筐体にしばしば組み込まれる。ある場合には、筐体は、回転し、次いで開かれるように構成される。具体的に言えば、これは、特許文献１および特許文献２に記載のように、本のページのようにめくられ得るように、レールまたはラック上に置かれる、一般に使われるカセットのアレイの場合である。カセットのアレイを筐体内に設置する場合、単一のカセットにアクセスするために、ある種の扉を開く必要がある。他の場合、カセットのアレイは自立するか、またはラック上に置かれるか、または接続部に挿入される。これはまた、特許文献３、特許文献４、および特許文献５に記載の機構の場合である。
【特許文献１】国際公開第９５／０７４８１号パンフレット
【特許文献２】国際公開第９４／２３３２４号パンフレット
【特許文献３】国際公開第９５／０９３７５号パンフレット
【特許文献４】国際公開第９５／０７４８６号パンフレット
【特許文献５】ＦＲ  ２  ７８９  ４９７号明細書
【発明の開示】
【発明が解決しようとする課題】
【０００４】
従って、できるだけ、形状構成中の残りのカセットおよびファイバを妨害せずに、個別カセットへのアクセスを可能にするであろう形状構成を与える、カセットアレイおよび個別カセットを提供することが望ましい。
【課題を解決するための手段】
【０００５】
本発明は、入ってくるファイバが取り込まれる筐体内に配置される引き出しのシステムを提案し、筐体は裏面および正面を有し、入ってくるファイバは裏面で取り込まれ、正面は、各個別引き出しについて、引き出しを開かずに正面からアクセスできる、コネクタのアレイおよび光ファイバ接続カセットを備える。コネクタはある長さの光ファイバを備えることが好ましく、これは個別接続カセット中に入れることが可能であり、そしてそこで、それらは入ってくるファイバとともに接続されることもあり得る。案内手段が引き出しに取り込まれて、光ファイバの案内を可能にすることがより好ましい。これは、入ってくるファイバならびに光ファイバコネクタと接続されるファイバの両方について可能である。
【０００６】
引き出しが、管理される光ファイバへの直接アクセスを可能にするために、筐体の外へ個別に動かされ得るように、引き出しは設計される。
【０００７】
本発明の第１実施形態では、引き出しはレールまたは他の伸縮式装置上を動かされて、正面の平行移動を生じる。
【０００８】
第２実施形態では、個別引き出しは軸を中心に回転され得る。この軸は引き出しの１つの前部に配置されることが好ましく、それは、光ファイバを取り扱うためにアクセスできるように、設計されるべきである。回転角度が光ファイバの動きを最小限にするために９０°未満であることが好ましい。
【０００９】
それぞれの接続カセットが、引き出しを開かずにシステムの外へ個別に動かされ得るように、接続カセットのアレイは設計される。接続カセットの回転軸のための部位が引き出しの正面の近くにあることが好ましい。個別接続カセットの回転角度が９０°未満であることがより好ましく、または６０°未満であることがより好ましい。
【００１０】
第１実施形態では、接続カセットは、引き出し内でアレイの全ての接続カセットに共通である固定軸を中心に回転できる。
【００１１】
第２実施形態では、接続カセットもまた引き出しの外へ同時に直線的に動かされるように、接続カセットは回転される。
【００１２】
光ファイバコネクタのアレイと、引き出しを開かずに開けられ得る光ファイバ接続カセットとを有する、筐体内の引き出しを含む、この形状構成の利点は、システムは光ファイバの動きを最小限にするという事実に在る。特に、引き出し内の他の部品および隣接する接続カセットを妨害せずに、所定の引き出し内の個別接続カセットを単に開くことが可能である。
【００１３】
第３実施形態が、幅と、幅よりも大きい長手方向の延長部分と、幅よりもかなり小さい厚さと、を有するカセットのアレイ付きの引き出しシステムを備える。カセットは、所定の間隔をあけて置かれた少なくとも２つの固定手段を用いて互いに連結される、２つの側板の間に配置され、それによってカセットは少なくとも２つの曲がった長穴を備え、第１長穴はカセットの第１長手方向端部に向いて配置され、第２長穴はカセット内にさらにまた配置され、第１長穴よりも長い。２つの固定手段が長穴を通過するように、カセットは２つの側板の間に取り付けられる。これらの長穴は本質的に曲がっていて、個別カセットがアレイの外へ動かされることが可能であり、それによってそれは第１長手方向の端部で回転させられ、カセットの長手方向に垂直である方向に、スタックの外へ同時に持ち上げられるように設計される。
【００１４】
第４実施形態が、レールまたは他の伸縮式装置上を動かされて、正面への平行移動を生じて、他のものを動かさずに各個別カセットを利用できる、カセットを有するカセットのアレイ付きの引き出しシステムを備える。
【００１５】
好ましい形状構成では、出入りするファイバが曲がった長穴の端部の近くで、かつカセットの第１長手方向の端部でカセットに入るように、カセットは設計される。
【００１６】
個別引き出しは、入ってくるファイバ、ならびに光ファイバコネクタと接続されるファイバの両方のためのガイドを備えて、それらを光ファイバ接続カセットのアレイの所定の個別カセット中に大体直接に案内することが可能であることが好ましい。これは、各引き出しの裏面から任意のカセットにアクセスすることが可能であるように、例えばチューブまたはそらせ板の形をしたガイドによって達成される。１つの形状構成では、これは、カセットが引き出し中に置かれると同じ位多くの別個のガイドを有する必要があるだろう。これは、コネクタに取り付けられるファイバについて同様の方法で解決されることもあり得る。この場合には、コネクタの形状構成内で、それらのうちのどれがどの個別カセット内に案内されるかを規定することは、充分であるかもしれない。
【００１７】
次いでこれは光ファイバの配列の取付けおよび変更についての次の可能性につながる。つまり、最初の配列の場合、引き出しは開かれ、入ってくるファイバがカセットの中を通るように該ファイバを挿入することにより全体の取り付けが行われ、同様に、コネクタへ通じているファイバを取り付ける。次いでファイバの対応する対が所定のカセット内で続いて接続され得る。
【００１８】
代替のより好ましい形状構成では、より少ない数のガイドが使用され、そしてそこでファイバはカセットのアレイに隣接する展開素子へ案内され、そしてそこでファイバをカセットの１つに手動で与えることができるように、ファイバを引き出しから出すことが可能である。
【００１９】
カセットと同数のガイドを有する上述の形状構成を用いて、変更態様を達成することが特に有利である。入ってくるファイバの交換または挿入の場合、ファイバを所定のガイドに案内することが可能であり、このガイドは確定したカセットに通じる。次いで、ガイドを通じて入ってくるファイバを事前に選択したカセットに直接に送り込むことが可能であるように、このガイドは開かれるだろう。同じ取組みをコネクタ側のファイバに対して行うことが可能であり、同様に、ファイバが確定したカセットに届くように、これらは挿入される。続いて接続が達成され得る。これは新しいファイバの導入について、ならびにある種の修理が必要である場合のファイバの交換について可能であるだろう。
【００２０】
少数のガイド付きの代替のより好ましい形状構成を用いて、入ってくるファイバが展開素子の外側で引き出しから出るまで、入ってくるファイバは同様に挿入される。続いて、予め選択したカセットが開かれ、ファイバは手動で送り込まれる。この形状構成は少数のガイドと連動し、これはより多くのカセット、例えば１２に対応する場合に特に有利である。
【００２１】
１つの利点は、これらの特定の場合に、引き出しを開かずに、かつ関係しているカセットを開くだけで、光ファイバをこの引き出しに導入することが可能であることである。この取組みによって、全ての他のファイバの妨害を最小限にすることが確実になる。
【００２２】
多量のカセットを備えるシステムは、従来の成型プロセスによって製作されることが好ましい。好ましい実施形態では、カセットの第１長手方向の端部は２対の曲がった長穴、すなわちカセットの長手方向の延長部分に対して対称に配置された、２つの第１長穴および２つのより長い第２長穴を備える。典型的な応用では、カセットが、カセットを開けるときにファイバに上部からアクセスできる形で置かれるように、カセットのアレイが配置される。従って、軸の周りを回転し、かつそれの前に立つときにアレイの右側または左側に配置される配列を有することが望ましい。軸の形状構成が、実際に使用するときカセットに上部からアクセスするようにスタックを配置する場合、左側か、或いは右側のいずれかにあるように、２対の軸付きの形状構成は、２つの側板の間に配置されるカセットのアレイを製作することを可能にする。
【００２３】
２対の曲がった長穴のそのような配列では、それらのうちの少なくとも２つが互いに交差するように、それらを配置することが通常必要である。カセットの不要な動きまたは阻止を防止するために、阻止手段が第２長穴の１つに入れられることが好ましく、これは特定の形状構成では使用されない。より好ましい形状構成では、この阻止手段はある場所に配置されている状態から容易に取り除かれ得るように、これはカセットと同時に成型され、これはカセットの使用にとって重要ではない。１つの形状構成では、２つの小さいピンが、カセットを従来の位置付けで配置するためにそれらを使用できるように、それらは互いに面するように配置されるカセットの長手方向の端部に残されるように、この阻止手段は取り除かれることが可能であり、そしてそこで個別カセットが本のページのように互いの上に動かされる。勿論これは好ましい形状構成ではないが、利点は、カセットはまた従来の並んだ配列で利用されることもあるということであり、そしてそこでカセットは互いに対して動かされる。
【００２４】
本発明の１つの広い態様では、光ファイバを管理するためのデバイスが設けられ、そこではデバイスは複数の光ファイバカセットを保持する引き出しを含み、そこでは引き出しはフレームから引き延ばされて、カセットの全てにアクセスできるようになる。別の態様では、複数のファイバカセットを備える引き出しが設けられ、そこでは、当引き出しを開かずに、かつ他の引き出しを開かずに個別カセットを開くことが可能であるように、システムは設計される。別の変更態様が、光ファイバチューブのようなガイドを設けることを含む。
【００２５】
本発明の他の態様が以下に記載される。
【００２６】
本発明は添付図を参照して説明されるであろう。
【発明を実施するための最良の形態】
【００２７】
光ファイバの管理用の引き出しのシステム１０を図１および２に見ることができる。図１は、筐体１４内に配置した個別引き出し１２の上面図を示す。図２は同じ形状構成の正面図を示し、これは合計４つの引き出し１２、１６、１８、および２０を示し、これらは他のものの上部に配置される。この特定の実施形態では、筐体１４全体を４８．６３ｍｍ（１９インチ）のラックに装着できるように、筐体は穴２６、２８、３０、および３２を有する側部フランジ２２、２４を備える。これは単に１つの可能な実施形態として理解されるべきである。任意の所定数の引き出し付きの同じ型の筐体もまた、それをモジュール式光配分フレーム（ＭＯＤＦ）に組み立てできるように設計され得る。
【００２８】
図１は引き出し内の一配列を示す。左側に光ファイバコネクタのアレイ３４を見ることができる。各コネクタは、ファイバ配列３６中の光ファイバに接続される。入ってくる光ファイバチューブ３８が背面４０で筐体１４に入る。１つ以上の光ファイバチューブ３８があることが可能であり、１つだけが示され、これは通常いくつかの（しばしば４〜１２）光ファイバを含むチューブであることを理解すべきである。引き出し内で、入ってくる光ファイバチューブは通常２つの異なる方向４２，４４に曲げられ、そのためそれは光ファイバ接続カセット４６のアレイに達する。通常、曲げは適切なガイド、筐体、またはチューブによって得られ、これらの１つが図１に４８で示される。次いで、入ってくるファイバチューブは、通常光ファイバ接続カセット４６のアレイの一部である、別の第１展開素子５０に入る。入ってくるファイバチューブ３８のファイバが、展開素子内に配分されてファイバの対になり、次いでアレイ４６内のカセットの各々に入る（これはこれ以上詳細に示されないが、一般に知られている）。同様に、光ファイバコネクタ３４のアレイからくる個別ファイバが第２ガイド５２によって案内され、そのためそれらもまた対応する光ファイバ接続カセットに達する。このカセット内で接続が達成され、これは当業者に周知であり、例えば、国際公開第９５／０７４８１号パンフレットに記載されている。各個別ファイバチューブ３８が所定のカセットに至って、ファイバが裏面からカセット内に直接通ることを可能にするように、展開素子内にファイバの明確な分配があることが好ましい。
【００２９】
光ファイバコネクタのアレイおよび接続カセットのアレイを備える、本発明の引き出しは、或る方法で筐体の外へ動かされることが可能であり、引き出しを開けずにこれにアクセスできる。これは次の図でさらに詳細に参照されるであろう。ファイバを所定のカセット内に案内できるように、ファイバを背面４０の引き出しの裏面から直接案内することが可能であるように、ファイバチューブ３８は設計される。従って、光ファイバチューブ３８の数はカセットの数に一致する。これによって生じる特別な利点は、所定の引き出しにおける追加の入ってくるファイバまたは一組の追加の入ってくるファイバを、ファイバが案内されるべきカセットに対応する光ファイバチューブ３８に挿入することによって、それらを挿入することが可能であるということである。この場合には、単に引き出しを閉じたままで、対応するカセットを開くことが充分である。チューブの案内機能によってファイバがこのカセットに達するように、ファイバは光ファイバチューブ３８に挿入される。次いでそれはコネクタからくるファイバに接続され得る。同様に、同じ取組みがコネクタ側から行われ得る。１つの可能な形状構成では、コネクタアレイ上の任意の所定の位置に対して、対応するファイバは、それが対応する入ってくるファイバにその後に接続され得る、所定のカセット内に案内されるだろうことが確実になる。あるいは、より少数のガイド３８が使用されて、ファイバを展開素子５０へ案内し、この素子は、ファイバが外側で引き出しから出るように設計される（図１に示さず）。続いて予め選択したカセットが開かれて、ファイバをその中に手動で入れることができる。光ファイバを追加したり、交換したりすることは絶え間無く必要なので、これの全てが非常に有利である。
【００３０】
図３は引き出しの第１実施形態の機能を示し、この引き出しは図１に示すように閉位置にあり、筐体１４、光ファイバコネクタ３４のアレイおよび光ファイバ接続カセット４６のアレイを有する引き出し１２を示す。また、内部ファイバ配線３６および光ファイバ３８の入ってくるチューブが示され、このファイバはできれば背面４０で筐体１４に達する。筐体１４は、後壁５４と、側壁５６，５８と、を備える。レール６０、６２が側壁５６，５８に取り付けられ、そのため引き出しをこれらのレール上で動かすことができる。これはシステム内の各引き出しについて行われる。これは、図２による形状構成では、引き出し１２、１６、１８、および２０を支持するために４対のレールがあることを意味する。レール６０、６２は標準型であり、引き出し１２はそれらに沿って周知の方法で移動し、また阻止機構を備えて、引き出しが余りにも遠くに引き出される場合、引き出しが筐体から脱落するのを防止する。また、ユーザーが引き出しを取り外し、従来の引き出しのように、それを統制の下で再び挿入することを可能にする装置がある。ユーザーのために追加の作業スペースを設けるために、筐体１４から完全に取り出さなければならない引き出し内にファイバを組み立てる必要がある場合は、これは有用である。しかしながら、この取り外しできる特徴は必須ではない。
【００３１】
図４は別の実施形態を示し、そこでは引き出し１２は、前方部において側壁５８の右側の軸６４で筐体に取り付けられる。この場合に、引き出し１２の背面は丸い角６６を備え、これは引き出し１２が筐体１４に出入りできるように設計される。線６８は筐体の先頭を示し、これは次の引き出しか、或いは２つの隣接する引き出しの間の水平の分離壁７０であり得る。そのような追加の壁が必要かどうかは、詳細な要求条件によって決まる。
【００３２】
図５は、個別光ファイバ接続カセットが置かれるそれぞれの引き出しを開く必要なしに、カセットにアクセスするためのシステムの利点をさらに詳細に示す。それは筐体１４および引き出し１２の上面図を有する全システム１０を示し、そこに、入ってくる光ファイバチューブ３８、光ファイバコネクタ３４のアレイ、これらのコネクタから内部で通じる対応する光ファイバケーブル３６、および特に光ファイバ接続カセット４６がある。図示のように、接続カセットの１つ７２が機械的形状構成７４を用いてアレイ４６の外へ動かされ、この機械的形状構成は、光ファイバ接続カセット７２が回転することを可能にするばかりでなく、同時にそれを引き出しシステムの外へ延在することを可能にする。しかしながら、本原理は任意の種類の光ファイバ接続カセットのアレイでも同様に働き、これは、原則として、隣接するものを妨害せずに、単一のカセットの動きを可能にすることに留意すべきである。例えば、先行技術で知られている形状構成が、カセットが軸を中心として直接に回転するところで同様に使用されることもあり得る。
【００３３】
本発明の一実施形態に関するさらなる詳細が図６〜９に与えられ、それに関連して説明される。光ファイバ接続カセットのアレイ４６は、３つの軸または棒８０、８２、および８４と共に固定して保持される、２つの側板７６、７８で構成され、これは以下でさらに詳細に説明されるであろう。これらの側板７６、７８の間に、光ファイバの管理のための６つのカセットが置かれ、これらもまた、そのうちの３つ８６、８８、９０だけが参照される、図７の説明と共にさらに詳細に説明されるであろう。図６で、側板７６に隣接するカセット９０はアレイの外へ動かされるのに対して、図７で、側板７８に近接する第１カセット８６は外へ動かされる一方で、次のカセット８８はシステム内に残っている。
【００３４】
図７の個別カセット８６の特性が以下に説明されるが、これはアレイ内の全てのカセットについて通用する。このカセットは長手方向の延長部分を有し、これは２つの矢９２および幅９４によって示される。長手方向の延長部分は幅９４よりもかなり大きい。カセットは本質的にベースプレート９６から成り、その周囲で外壁９８によって囲まれ、この外壁はいくつか中断されて全周囲に配置される。これは好ましい形状構成である。そのような壁を周囲の一部に有するだけでも可能であるが、全周囲がこの壁を備えて、光ファイバに対する最大の保護を得ることが好ましい。壁９８の高さが、カセット８６の厚さを事実上決定する。この厚さはカセット８６の幅９４および長手方向の延長部分９２よりもかなり小さい。カセット８６は軸８０，８２によってアレイ内に配置される。これは、全ての他のカセットと同じようにカセット８６が、図示のように第１長手方向の端部１００からアレイの外へ動かされ得ることが可能であるように達成される。カセット８６は、ある種の構成のような取っ手１０４を用いて、第２長手方向の端部１０２でアレイの外へ動かされ得る。これは、アレイの外へ動かされると想定されるカセットの１つを把持することが可能であるように設計される。取っ手１０４は、開かれると想定されるカセットを識別することが可能であるように、ある種のマーキング、少なくとも番号付けなどの手段を備えることが好ましい。
【００３５】
ここで、どのようにしてアレイ４６は通常組み立てられるかを理解することができる。側板７８が軸８０、８２、および８４を備え、これらは側板７８に固定して取り付けられる。次の工程として、カセットは第１曲がった長穴１０６および第２曲がった長穴１０８を通して軸上に置かれる。カセットは、カセット８６から始まって、次に８８など、順次に長穴１０６、１０８を通して軸８０、８２へ動かされる。最後のカセット９０で組立を完了した後、第２側板７６が軸８０、８２、および８４上に置かれ（図６）、それに固定して取り付けられる。これは、特別に設計したスナップ機構、超音波溶接、接着などによって、形はどうあれ行われ得る。
【００３６】
図７は、どのようにして個別カセットがアレイの外へ動かされ得るかを説明することをさらにまた可能にする。これは曲がった長穴１０６、１０８の特別な設計によって達成される。カセット８８を見ると、曲がった長穴１０６は右端１１０および左端１１２を有することが分かる。長穴１０８は右端１１４および左端１１６を有する。この閉位置で、軸８０、８２は曲がった長穴１０６、１０８の左端１１２、１１６に接する。カセット８６で示すようにカセットを外へ動かす場合、軸８０、８２が曲がった長穴１０６、１０８の右端１１０、１１４に接するまで、カセットはこれらの軸によって案内される。これを実現するために、カセットの容易な移動を可能にする幾何学的形状構成を設けることが必要である。これは当業者に一般的に知られている。そのような設計、長穴１０６、１０８の位置決めおよび湾曲の方法が実験によって確認され得るか、或いはこれは通常、式、コンピュータプログラムなどを用いた対応する数値計算によるのが好ましく、これらの全ては当業者に周知である。本質的特徴は、このような方法でカセット８６は軸を中心として回転するばかりでなく、カセット８６の長手方向の延長部分９２と垂直である方向の外へ同時に動かされることである。カセットが、この設計では約６０度である、比較的小さい角度で動かされただけで、これはカセットの内部へアクセスすることを可能にする。図７に示す形状構成では、配列は、カセットが取っ手１０４を用いて第１長手方向の端部１０２で動かされるように施される。代替の取組みが以下に言及される。
【００３７】
カセット８６は射出成型によって作ることが可能であり、上述のように、ベースプレート９６および側壁９８を備える。それはモールド成型した形状構成１１８、１２０、１２２、１２４、および１２６をさらに含み、これらはベースプレート９６上で壁９８の上側から延在し、対応する開口が、任意の引き出しを使用せずにこの部品の成型を可能にするために設けられる。これらのデバイスは、カセット内に案内される光ファイバを維持し、かつそれらを所定の位置に保持する可能性を与える。同じことが中央に設けられる指片１２８、１３０に当てはまり、そこではまた、ベースプレート９６に、対応する開口が同じ理由から在る。１３２で示す、ベースプレート９６内の円形の中央部分が、光ファイバ接続の固定のための手段を与える。
【００３８】
図８および９は、第１対の曲がった長穴１０６、１０８および第２対の曲がった長穴１３４、１３６の使用目的をさらに詳細に説明する。図８の形状構成が、カセット、および、主に閉位置で図７におけるようにカセット８６を保持するように想定される、軸８０，８２の位置決めを本質的に示す。軸８０，８２は、長穴１０６、１０８と第１長手方向の端部１００と反対側のそれらの端部１１２、１１６で接する。阻止部品１３７が長穴１３６に配置される。カセット８６を外へ動かすとき、この動きは軸８０，８２によって案内され、次いでカセットが第１長手方向の端部１００に近接する端部１１０、１１４に達するまで、それらは長穴１０６、１０８を通る。上述のように通常カセットは、それらが開かれるとき、上部からアクセスされなければならない。カセットを図６に示すように第１長手方向の端部からではなく、何がしかの理由で反対の端部から外へ動かすことが望ましいことがある。第２部品を成型する必要を回避するために、２対の長穴１０６、１０８および１３４、１３６付きの二重の形状構成が、この代替配列のために全く同じ部品を使用することを可能にし、そしてそこで、例えば、カセットは右側からではなく、左側または反対から動かされる。この代替形状構成が図９で分かる。ここで、そのときに他の側から動かせる同じ種類のカセットが、再び軸８０、８２によって案内されるけれども、これらの軸は長穴１３４、１３６内を動く。閉位置で、それらは図示のように第１長手方向の端部１００の反対側の端部１４０、１４４に接する。開位置で、軸が図示のように第１長手方向の端部１００に近接する反対側の端部１３８、１４２に達するまで、それらは長穴１３４、１３６に沿って移動する。阻止部品１３７はそれに応じて長穴１０８中に置かれる。
【００３９】
本発明の他の態様を以下に示す。本発明は、光ファイバの最初の取付けのために全ての機能素子への完全なアクセス、かつ再接続のために接続部位へだけのアクセスを与える。これは、任意の隣接するカセットを動かさずに、従って他のファイバを妨害せずに行われ得る。引き出しが、外側への伸縮自在、旋回、または他の機構などによって、所望の特徴を備えるように設計され得る、いくつかの方法がある。全ての作業をカセットのアレイの前部へのアクセスによって行うことが可能であり、異なる大きさおよび型のカセットを使用できる。ファイバ配線の新しいピグテールまたは固定ファイバまたはピグテールの後の取付けによる置き換えが、ピグテールを入る位置から展開素子を経由して個別接続カセットへ案内する、案内チューブまたは素子を用いて、引き出しを開けずに正面から行われ得る。ファイバチューブの置き換えまたは後の取付けは、ファイバチューブを背面の入口から第２展開素子を経由してそれらがカセットに配分され得る前部へ案内する、案内チューブまたは素子を用いて、引き出しを開けずに正面から行われ得る。
【図面の簡単な説明】
【００４０】
【図１】本発明による引き出しの上面図である。
【図２】光ファイバコネクタのアレイおよび光ファイバ接続カセットのアレイ付きの筐体の正面図である。
【図３】引き出しの動きに関連する第１実施形態を示す図である。
【図４】引き出しの動きに関する第２実施形態を示す図である。
【図５】引き出しを開かない、引き出し内のカセットのアレイの個別カセットの開口を示す図である。
【図６】光ファイバ接続カセットのアレイを示す図である。
【図７】アレイ内の個別カセットを動かすための運動機構を示す、図６によるアレイの部分分解図である。
【図８】カセットの右側への動きを可能にする、第１長手方向の端部に２対の長穴の配列を有する個別カセットの上面図である。
【図９】同じカセットではあるけれども、示される配列で左側へ動くように構成されたカセットを示す図である。
【図１】
2006502445.tif 000003
【図２】
2006502445.tif 000004
【図３】
2006502445.tif 000005
【図４】
2006502445.tif 000006
【図５】
2006502445.tif 000007
【図６】
2006502445.tif 000008
【図７】
2006502445.tif 000009
【図８】
2006502445.tif 000010
【図９】
2006502445.tif 000011
【国際調査報告】
2006502445.tif 000012
2006502445.tif 000013
2006502445.tif 000014